(57)【要約】      （修正有）【課題】溶接強度を増大しかつ製造時における溶接ずれの防止が可能な溶接保持器とその製造方法を提供すること。【解決手段】転動体を収納するための複数のポケット孔３を有する帯状鋼板２からなり、帯状鋼板２の両端部が、該ポケット孔３の軸方向両側の耳部５に位置付けられて突合せ溶接された溶接保持器１であって、突合せ溶接前の帯状鋼板２の両端部の鋼板端面が軸方向に凹凸形状とされ、突合せ溶接後に上記帯状鋼板の両端部の端面間に上記凹凸形状に対応した形状の溶接部７が形成されている。【選択図】図１
2006064043.tif 000002
【特許請求の範囲】
【請求項１】
複数の転動体収納用のポケット孔を備えた帯状鋼板からなり、この帯状鋼板の円周方向両端部の突合わせ溶接部が上記ポケット孔の軸方向両側の耳部に位置付けられている溶接保持器であって、上記突合わせ溶接部が、上記耳部の軸方向両端間の全体または一部において軸方向および径方向のうち少なくとも一方とは異なる方向の溶接箇所を含む、ことを特徴とする溶接保持器。
【請求項２】
上記溶接箇所が、軸方向および径方向のうち少なくとも一方に対して凹凸形状をなしている、ことを特徴とする請求項１に記載の溶接保持器。
【請求項３】
上記溶接箇所が、軸方向および径方向のうち少なくとも一方に対して斜め形状をなしている、ことを特徴とする請求項１に記載の溶接保持器。
【請求項４】
複数の転動体収納用のポケット孔を備えた帯状鋼板からなり、この帯状鋼板の円周方向両端部の突合わせ溶接部が上記ポケット孔の軸方向両側の耳部に位置付けられている溶接保持器を製造する方法であって、
上記ポケット孔を帯状鋼板に形成するポケット孔形成工程と、
帯状鋼板の両端部をポケット孔の軸方向両側の耳部に位置付けるよう当該帯状鋼板を切断する切断工程と、
この切断後の帯状鋼板の両端部において、上記耳部の軸方向両端間の全体または一部に軸方向および径方向のうち少なくとも一方とは異なる方向の溶接箇所を形成する溶接箇所形成工程と、
上記帯状鋼板を環状に成形するとともに、帯状鋼板の両端部それぞれの端面形状を用いて上記溶接箇所の位置合わせをする位置合わせ工程と、
上記両端面の位置合わせをした状態で溶接する溶接工程と、
を含むことを特徴する溶接保持器の製造方法。
【請求項５】
上記溶接箇所形成工程が、上記溶接箇所を軸方向および径方向のうちの少なくとも一方に対して凹凸の有る形状、または、軸方向に対して斜めの形状に形成する工程である、ことを特徴とする請求項４に記載の溶接保持器の製造方法。
【発明の詳細な説明】
【技術分野】
【０００１】
本発明は、針状ころ軸受用保持器など、保持器用の帯状鋼板を突合せ溶接してなる溶接保持器におよび該溶接保持器の製造方法に関する。
【背景技術】
【０００２】
従来、削り出し品に対し、低コスト化、高速化、軽量化等を目的にして、帯状鋼板を突合せ溶接等によって溶接一体化した溶接保持器が多く作られている。このような帯状鋼板を突合せ溶接した溶接保持器では、溶接部の溶接品質を確保することが重要である。このような溶接品質に影響する１つに溶接部での溶接ずれがある。
【０００３】
従来の溶接保持器としては、例えば、図１６に示されるものがある（特許文献１参照）。
【０００４】
この溶接保持器においては、複数の転動体収納用のポケット孔３を備えた環状の帯状鋼板２からなり、ポケット孔３を円周方向隣り合う柱部４と、ポケット孔３の軸方向両側の耳部５とが囲む空間により構成し、帯状鋼板２の両端部の突合せ溶接部７をポケット孔３の軸方向両側の耳部５の軸方向中央側としたものがある。
【０００５】
このような溶接部７においては、帯状鋼板２の両端部の突合せ端面が軸方向にストレートに延び径方向に平坦な端面であるから、溶接ずれが発生しないよう上記突合わせ端面を正確に合わせる溶接位置合わせを行うことが困難である。さらには、溶接部７の溶接面積が耳部５の断面積となり、溶接強度に不足する可能性がある。
【特許文献１】実開昭５５−９３７２６号公報
【発明の開示】
【発明が解決しようとする課題】
【０００６】
したがって、本発明により解決すべき課題は、ポケット孔の軸方向両側に位置する帯状鋼板の両端部の端面どうしの溶接に際して、その溶接ずれの発生を低減し、かつ、溶接強度を高めることである。本発明により解決すべき他の課題は、溶接部での溶接ずれが無く溶接品質に優れた溶接保持器の製造歩留まりを向上することである。
【課題を解決するための手段】
【０００７】
本発明による溶接保持器は、複数の転動体収納用のポケット孔を備えた帯状鋼板からなり、この帯状鋼板の円周方向両端部の突合わせ溶接部が上記ポケット孔の軸方向両側の耳部に位置付けられている溶接保持器であって、上記突合わせ溶接部が、上記耳部の軸方向両端間の全体または一部において軸方向および径方向のうち少なくとも一方とは異なる方向の溶接箇所を含むことを特徴とするものである。軸方向幅がほぼ一定とは帯状鋼板の軸方向両側に軸方向外側に突出するような箇所が部分的に存在しても環状保持器全体として軸方向幅が一定であるような幅のことである。
【０００８】
上記溶接箇所は、軸方向および径方向のうち少なくとも一方に対して凹凸形状をなしていることが好ましい。また、上記溶接箇所が、軸方向および径方向のうち少なくとも一方に対して斜め形状をなしていることが好ましい。
【０００９】
上記溶接箇所は、上記耳部の軸方向両端間の全体にわたって軸方向および径方向のうち少なくとも一方とは異なる方向の溶接箇所を含むことが好ましいが、上記耳部の軸方向両端間の一部に軸方向および径方向のうち少なくとも一方とは異なる方向の溶接箇所を含む。
【００１０】
本発明の溶接保持器によると、上記突合わせ溶接部が、上記耳部の軸方向両端間の全体または一部において軸方向あるいは径方向とは異なる方向の溶接箇所、例えば、軸方向ないしは径方向に対して凹凸形状をなす溶接箇所、あるいは軸方向に対して斜め形状をなす溶接箇所を含むから、ポケット孔の軸方向両側の耳部の軸方向断面積よりも溶接面積が増大している結果、溶接強度が大きい溶接保持器となる。
【００１１】
なお、上記凹凸形状は耳部の軸方向両端間における軸方向に波形や階段状やその他の凹凸形状であってもよく、側面から見られた断面形状が半径方向に波形や階段状やその他の凹凸形状であってもよい。
【００１２】
軸方向に波形の凹凸形状は、軸方向とは異なる方向の形状が多数存在するから、溶接面積が増大して溶接強度の増強に特に効果がある。軸方向に階段状の凹凸形状は、一部に半径方向を含むので、溶接面積が半径方向の形状分、増大する結果、溶接強度が増強する。また、断面形状が、半径方向に波形や階段状の凹凸形状も、溶接面積が増大して溶接強度の増強に特に効果がある。
【００１３】
なお、上記凹凸形状は、軸方向とは異なる方向として、一方の端面に円周方向単一のＶ形状、逆Ｖ形状、Ｕ形状、逆Ｕ形状等に切り欠いた凹凸形状とし、他方の端面に上記Ｖ形状、逆Ｖ形状、Ｕ形状または逆Ｕ形状に入り込む円周方向単一のＶ形状、逆Ｖ形状、Ｕ形状、逆Ｕ形状等の凹凸形状とすることができる。
【００１４】
本発明による溶接保持器の製造方法は、複数の転動体収納用のポケット孔を備えた帯状鋼板からなり、この帯状鋼板の円周方向の両端部の突合わせ溶接部が上記ポケット孔の軸方向両側の耳部に位置付けられている溶接保持器を製造する方法であって、上記ポケット孔を帯状鋼板に形成するポケット孔形成工程と、帯状鋼板の両端部をポケット孔の軸方向両側の耳部に位置付けるよう当該帯状鋼板を切断する切断工程と、この切断後の帯状鋼板の両端部において、上記耳部の軸方向両端間の全体または一部に軸方向および径方向のうち少なくとも一方とは異なる方向の溶接箇所を形成する溶接箇所形成工程と、上記帯状鋼板を環状に成形するとともに、帯状鋼板の両端部それぞれの端面形状を用いて上記溶接箇所の位置合わせをする位置合わせ工程と、上記両端面の位置合わせをした状態で溶接する溶接工程とを含むことを特徴するものである。
【００１５】
上記溶接箇所形成工程は、上記溶接箇所を軸方向および径方向のうちの少なくとも一方に対して凹凸の有る形状、または、軸方向に対して斜めの形状に形成する工程であることが好ましい。
【００１６】
本発明の溶接保持器の製造方法によると、上記溶接箇所を軸方向や径方向に対して凹凸の有る形状、例えば、波形や階段状や単一のＶ形状、逆Ｖ形状、Ｕ形状、逆Ｕ形状等とした場合、帯状鋼板の両端部の端面どうしの突合せ溶接に際しては両端面を互いの形状により正確に位置合わせすることが可能となり、これによって溶接ずれすることなく帯状鋼板の両端部の端面どうしの突合せ溶接を行うことができ、溶接品質に優れた溶接保持器を効率よく製造することができる結果、溶接品質に優れた溶接保持器の製造歩留まりを向上させることができるようになる。
【００１７】
また、本発明の溶接保持器の製造方法によると、上記溶接箇所を軸方向や径方向に対して凹凸の有る形状や、軸方向に対して斜めの形状に形成することにより、溶接面積が大きくて溶接強度が増強された溶接保持器を効率よく製造することができるようになる。
【発明の効果】
【００１８】
本発明によれば、溶接強度の大きい溶接保持器を提供することができる。
【００１９】
また、本発明によれば、溶接強度が大きく、かつ、溶接ずれが無いか低減した溶接保持器を製造することができる。
【発明を実施するための最良の形態】
【００２０】
以下、添付した図面を参照して、本発明の実施の形態に係る溶接保持器およびその製造方法を詳細に説明する。実施の形態の溶接保持器は、針状ころ軸受の保持器として該針状ころ軸受に組み込まれるものである。
【００２１】
図１（ａ）は、実施の形態の溶接保持器の斜視図、図１（ｂ）は、図１（ａ）の要部を拡大して示す斜視図、図２は、図１（ｂ）のさらなる要部を拡大して示す平面図、図３は、図２の溶接部を矢印Ｐ方向から見た部分側面図である。
【００２２】
これらの図を参照して、実施の形態の溶接保持器１は、一枚の帯状鋼板２の両端部を突合せ溶接して構成されている。帯状鋼板２は、軸方向幅がほぼ一定で鋼板長さ方向に環状に丸めて作られかつ円周方向に複数のころ収納用のポケット孔３を複数備えている。各ポケット孔３それぞれは、各柱部４それぞれで円周方向に仕切られるとともに、円周方向両側の柱部４と軸方向両側の耳部５とで囲まれており、転動体である図示略のころを収納保持可能な平面視矩形形状をなしている。柱部４は円周方向ほぼ一定幅で軸方向に延びる部分であり、耳部５は軸方向ほぼ一定幅で円周方向に延びる部分である。
【００２３】
帯状鋼板２は、一枚の鋼板をその長さ方向に環状に丸めて作られ、その長さ方向の両端部が突合せ溶接されるものであり、その両端部は、ポケット孔３の軸方向両側の耳部３における円周方向任意の位置好ましくは円周方向中央側に位置付けられている。
【００２４】
この実施の形態においては、帯状鋼板２の両端部の端面２ａ，２ａ同士は突合せ溶接されて、両端面２ａ，２ａ間に溶接部７が形成されており、この溶接部７の軸方向形状を波形の凹凸形状としたことに特徴を備えている。溶接部７は、溶接箇所として軸方向に対して異なる方向を複数含んだ凹凸形状であるから、耳部５の軸方向断面積よりも大きな溶接面積となり、その溶接強度が向上する。溶接部７の波形形状は、軸方向にジグザグな形状をなしている。溶接部７の波形形状は短い直線をジグザグにした形状であるが、半円弧形状や半楕円形状やその他の短い曲線形状をジグザグにした形状でもよい。
【００２５】
溶接部７には耳部５の表裏面に盛り上がるようにして溶接ビード８が形成されている。この溶接ビード８は、図解のため誇張して示されている。溶接ビード８は溶接強度を高める上で必要なものである。耳部５の外側面５ａや内側面５ｂ（ポケット孔３の内壁面を構成する側面）に開先９が形成されて、溶接ビード８が耳部５の外側面５ａや内側面５ｂに突き出ないよう開先９内に存在している。
【００２６】
帯状鋼板２の両端部の端面２ａ，２ａは上記したように軸方向凹凸形状とされており、突合せ溶接に際しては、両端面２ａ，２ａの凹凸形状により両端面２ａ，２ａの位置合わせが行われる。この位置合わせされた状態で、両端面２ａ，２ａ間に高電流が流されて溶接が行われる。この溶接により両端面２ａ，２ａ間が溶け込み、両端面２ａ，２ａの凹凸形状に倣う凹凸形状の溶接部７が形成される。したがって、突合せ溶接を溶接ずれすることなく行うことができる。溶接方法は上記以外の公知の溶接方法でも実施することができる。
【００２７】
突合せ溶接においては、帯状鋼板２の両端部の端面２ａ，２ａが溶け込むので、帯状鋼板２は、溶接前においては、その両端部に溶接しろを必要とする。そのため、帯状鋼板２は、実際の溶接保持器の円周方向長さよりも溶接しろ分だけ長く切断されている。帯状鋼板２は、その両端部の端面２ａ，２ａがその凹凸形状を用いて突合わされて溶接される結果、溶接後においては、帯状鋼板の円周方向の長さは、その溶接部７を含めて規定の円周方向長さとなる。
【００２８】
実施の形態の溶接保持器１の製造方法を説明する。
【００２９】
この製造方法においては、成形工程により、帯状鋼板２にプレス加工を施し保持器１の基本断面形状を成形する。帯状鋼板２の材料としては、例えば、成形性に優れたＳＰＣ帯状鋼材を用いることができる。
【００３０】
次いで、ポケット孔３の形成工程により、帯状鋼板２にプレス加工を施して、転動体である図示略の針状ころを収容するための複数のポケット孔３を打ち抜き形成する。
【００３１】
次いで、切断工程により、帯状鋼板２を該ポケット孔３の軸方向両側において突合せ溶接される当該帯状鋼板２の両端部の端面２ａ，２ａが露出するように所定長さに切断する。上記所定長さとは、上記説明した溶接しろを含む。
【００３２】
次いで、溶接箇所形成工程により、帯状鋼板２における一方の端部の端面２ａを軸方向の凹凸形状に形成する一方、他方の端部の端面２ａも上記凹凸形状に対応した凹凸形状に形成する。
【００３３】
次いで、溶接箇所位置合わせ工程により、上記帯状鋼板２を環状に成形するとともに、帯状鋼板２の両端部の端面２ａ，２ａどうしを突合わせることにより突合せ溶接箇所を位置合わせする。
【００３４】
最後に、溶接工程により、上記両端面２ａ，２ａを高電流により溶接する。
【００３５】
図１ないし図３に示す実施の形態の溶接保持器１は、以上の工程を経て製造されたものである。実施の形態の溶接保持器１によれば、突合せ溶接前の帯状鋼板２の両端部の端面２ａ，２ａが軸方向に波形の凹凸形状とされているから、上記位置合わせ工程においては、帯状鋼板２の両端部の端面２ａ，２ａをその凹凸形状を用いて正確に位置合わせできるので、溶接工程での当該帯状鋼板２の両端部の端面２ａ，２ａの溶接ずれがなくなる。また、突合せ溶接後は、帯状鋼板２の両端部の端面２ａ，２ａ間の溶接部７は、溶接前の両端部の端面２ａ，２ａの凹凸形状に倣うから、軸方向にストレートな溶接部よりもその溶接面積が増大して溶接強度が大きく向上した溶接保持器を得ることができる。
【００３６】
（他の実施の形態）
図４および図５を参照して他の実施の形態に係る溶接保持器を説明すると、図４は、図２に対応する平面図であり、図５は、図４の溶接部を矢印Ｐ方向から見た部分側面図である。図４および図５に示す実施の形態の溶接保持器では、その溶接部７は、軸方向とは異なる方向を含んだ階段状の凹凸形状とされており、帯状鋼板２の両端部の端面２ａ，２ａの突合せ溶接に際しての位置合わせが可能であるから、溶接ずれが無い。また、溶接部７は、軸方向に凹凸形状であるから、耳部５の軸方向断面積よりも大きな溶接面積となり、その溶接強度が向上する。図１ないし図３に示す実施の形態の溶接部７は、軸方向に波形の凹凸形状であり、図４および図５に示す実施の形態の溶接部７は、軸方向に階段状の凹凸形状であり、両凹凸形状の相違は、溶接面積の増大ならびにこの溶接面積の増大に伴う溶接強度の増強に関しては、前者の実施の形態の溶接部７の方が効果があり、突合せ溶接に際しての溶接箇所位置合わせに関しては、後者の方が効果がある。
【００３７】
図６および図７を参照してさらに実施の形態に係る溶接保持器を説明すると、図６は、図２に対応する平面図であり、図７は、図６の溶接部を矢印Ｐ方向から見た部分側面図である。図６および図７に示す実施の形態の溶接保持器では、その溶接部７が、軸方向並びに径方向とは異なる方向を含んだ階段状の凹凸形状とされており、帯状鋼板２の両端部の端面２ａ，２ａの突合せ溶接に際しての位置合わせが可能であるから、溶接ずれが無く、また、溶接部７の面積が増大して溶接強度が向上する構造を備える。図６および図７に示す実施の形態の溶接部７は、図４および図５に示す実施の形態よりも溶接部７の溶接面積が大きいので、溶接強度は増大する。
【００３８】
図８を参照してさらに他の実施の形態に係る溶接保持器を説明すると、図８に示す実施の形態の溶接保持器においては、ポケット孔３の軸方向一方側（図８で左側）の溶接部７がポケット孔３の円周方向一方（図８で下方）から他方（図８で上方）に向けて図面上、軸方向とは異なる方向を含んだ逆Ｖ形状とされており、ポケット孔３の軸方向他方側（図８で右側）の溶接部７もポケット孔３の円周方向一方から他方に向けて図面上、軸方向とは異なる方向を含んだ逆Ｖ形状とされており、両形状の溶接部の突合わせにより、帯状鋼板２の両端部の端面２ａ，２ａの突合せ溶接に際しての位置合わせが可能であるから、溶接ずれが無く、また、溶接部７の面積も軸方向平行の溶接部よりも溶接面積が増大して溶接強度が向上する構造を備える。詳しくは、図８に示す実施の形態の溶接部７は、帯状鋼板２の両端部の端面２ａ，２ａの一方（図８で上側）が逆Ｖの凹形状をなす端面２ａと、他方（図８で下方側）が逆Ｖの凸形状をなす端面２ａとの突合せ溶接であるから、溶接の位置合わせを極めて正確に実施することが可能であり、溶接ずれを低減ないし無くすことができる。また、上述した各実施の形態と同様に、溶接部７は、軸方向に凹凸形状をなしているから、耳部５の軸方向断面積よりも大きな溶接面積となり、その溶接強度が向上する。なお、実施の形態８においては、溶接部７の円周方向一方側の先端つまり逆Ｖの形状の頂点は柱部４の軸方向両側にまで延ばしてもよい。このようにすると、溶接部７の溶接面積がさらに増大し、その溶接強度をさらに増強させることができる。
【００３９】
図９を参照してさらに他の実施の形態に係る溶接保持器を説明すると、図９に示す実施の形態の溶接保持器においては、ポケット孔３の軸方向一方側（図９で左側）の溶接部７がポケット孔３の円周方向一方（図９で下方）から他方（図９で上方）に向けて図面上、軸方向とは異なる方向を含んだ逆Ｖの形状とされており、ポケット孔３の軸方向他方側（図９で右側）の溶接部７はポケット孔３の円周方向一方から他方に向けて図面上、軸方向とは異なる方向を含んだＶの形状とされており、両スリット形状の溶接部７の突合わせにより、帯状鋼板２の両端部の端面２ａ，２ａの突合せ溶接に際しての位置合わせが可能であるから、溶接ずれが無く、また、溶接部７の面積も軸方向平行の溶接部よりも溶接面積が増大して溶接強度が向上する構造を備える。
【００４０】
図１０を参照してさらに他の実施の形態に係る溶接保持器を説明すると、図１０に示す実施の形態の溶接保持器においては、ポケット孔の軸方向一方側（図１０で左側）の溶接部７がポケット孔３の円周方向一方（図１０で下方）から他方（図１０で上方）に向けて図面上、軸方向とは異なる方向を含んだ逆Ｕの形状とされており、ポケット孔３の軸方向他方側（図１０で右側）の溶接部７もポケット孔３の円周方向一方から他方に向けて図面上、軸方向とは異なる方向を含んだ逆Ｕの形状とされており、両スリット形状の溶接部７の突合わせにより、帯状鋼板２の両端部の端面２ａ，２ａの突合せ溶接に際しての位置合わせが可能であるから、溶接ずれが無く、また、溶接部７の面積も軸方向平行の溶接部よりも溶接面積が増大して溶接強度が向上する構造を備える。
【００４１】
図１１を参照してさらに他の実施の形態に係る溶接保持器を説明すると、図１１に示す実施の形態の溶接保持器においては、ポケット孔の軸方向一方側（図１１で左側）の溶接部７がポケット孔３の円周方向一方（図１１で下方）から他方（図１１で上方）に向けて図面上、軸方向とは異なる方向を含んだ逆Ｕの形状とされており、ポケット孔３の軸方向他方側の（図１１で右側）溶接部７はポケット孔３の円周方向一方から他方に向けて図面上、軸方向とは異なる方向を含んだＵの形状とされており、両スリット形状の溶接部７の突合わせにより、帯状鋼板２の両端部の端面２ａ，２ａの突合せ溶接に際しての位置合わせが可能であるから、溶接ずれが無く、また、溶接部７の面積も軸方向平行の溶接部よりも溶接面積が増大して溶接強度が向上する構造を備える。
【００４２】
図１２を参照してさらに他の実施の形態に係る溶接保持器を説明すると、図１２に示す実施の形態の溶接保持器においては、ポケット孔３の軸方向一方側（図１２で左側）の溶接部７がポケット孔３の円周方向一方（図１２で下方）から他方（図１２で上方）に向けて図面上、軸方向とは異なる方向を含んだ台形形状とされており、ポケット孔３の軸方向他方側（図１２で右側）の溶接部７もポケット孔３の円周方向一方から他方に向けて図面上、軸方向とは異なる方向を含んだ台形形状とされており、両スリット形状の溶接部７の突合わせにより、帯状鋼板２の両端部の端面２ａ，２ａの突合せ溶接に際しての位置合わせが可能であるから、溶接ずれが無く、また、溶接部７の面積も軸方向平行の溶接部よりも溶接面積が増大して溶接強度が向上する構造を備える。
【００４３】
図１３を参照してさらに他の実施の形態に係る溶接保持器を説明すると、図１３に示す実施の形態の溶接保持器においては、ポケット孔３の軸方向一方側（図１３で左側）の溶接部がポケット孔３の円周方向一方（図１３で下方）から他方（図１３で上方）に向けて図面上、軸方向とは異なる方向を含んだ台形形状とされており、ポケット孔３の軸方向他方側（図１３で右側）の溶接部７はポケット孔３の円周方向一方から他方に向けて図面上、軸方向とは異なる方向を含んだ逆台形形状とされており、両スリット形状の溶接部７の突合わせにより、帯状鋼板２の両端部の端面２ａ，２ａの突合せ溶接に際しての位置合わせが可能であるから、溶接ずれが無く、また、溶接部７の面積も軸方向平行の溶接部よりも溶接面積が増大して溶接強度が向上する構造を備える。
【００４４】
図１４を参照してさらに他の実施の形態に係る溶接保持器を説明すると、図１４に示す実施の形態の溶接保持器においては、ポケット孔３の軸方向一方側（図１４で左側）の溶接部７がポケット孔３の円周方向一方（図１４で下方）から他方に向けて図面上、軸方向とは異なる方向を含んだ左上がり斜め形状とされており、ポケット孔３の軸方向他方側（図１４で右側）の溶接部７がポケット孔３の円周方向一方から他方に向けて図面上、軸方向とは異なる方向を含んだ右上がり斜め形状とされており、溶接ずれを起こす可能性があるが、溶接部７の面積が軸方向平行の溶接部よりも溶接面積が増大して溶接強度が向上する構造を備える。
【００４５】
図１５を参照してさらに他の実施の形態に係る溶接保持器を説明すると、図１５に示す実施の形態の溶接保持器においては、ポケット孔３の軸方向一方側（図１５で左側）の溶接部７がポケット孔３の円周方向一方（図１５で下方）から他方（図１５で上方）に向けて図面上、軸方向とは異なる方向を含んだ左上がり斜め形状とされており、ポケット孔３の軸方向他方側（図１５で右側）の溶接部７がポケット孔３の円周方向一方から他方に向けて図面上、軸方向とは異なる方向を含んだ右下がり斜め形状とされており、溶接ずれを起こす可能性があるが、溶接部７の面積が軸方向平行の溶接部よりも溶接面積が増大して溶接強度が向上する構造を備える。
【００４６】
その他、本発明は、特許請求の範囲に記載した溶接保持器の範囲で種々に変更して実施することができる。
【図面の簡単な説明】
【００４７】
【図１】本発明の実施形態の溶接保持器に係り、図１（ａ）は、溶接保持器の斜視図、図１（ｂ）は図１（ａ）の要部を拡大して示す斜視図である。
【図２】図１（ｂ）のさらなる要部を拡大して示す平面図である。
【図３】図２の溶接部を矢印Ｐ方向から見た部分側面図である。
【図４】本発明の他の実施形態の溶接保持器に係り、図２に対応する平面図である。
【図５】図４の溶接部を矢印Ｐ方向から見た部分側面図である。
【図６】本発明のさらに他の実施形態の溶接保持器に係り、図２に対応する平面図である。
【図７】図６の溶接部を矢印Ｐ方向から見た部分側面図である。
【図８】本発明のさらに他の実施形態の溶接保持器の要部を展開して示す平面図である。
【図９】本発明のさらに他の実施形態の溶接保持器の要部を展開して示す平面図である。
【図１０】本発明のさらに他の実施形態の溶接保持器の要部を展開して示す平面図である。
【図１１】本発明のさらに他の実施形態の溶接保持器の要部を展開して示す平面図である。
【図１２】本発明のさらに他の実施形態の溶接保持器の要部を展開して示す平面図である。
【図１３】本発明のさらに他の実施形態の溶接保持器の要部を展開して示す平面図である。
【図１４】本発明のさらに他の実施形態の溶接保持器の要部を展開して示す平面図である。
【図１５】本発明のさらに他の実施形態の溶接保持器の要部を展開して示す平面図である。
【図１６】従来の溶接保持器の要部を展開して示す平面図である。
【符号の説明】
【００４８】
１  溶接保持器
２  帯状鋼板
３  ポケット孔
４  柱部
５  耳部
７  溶接部
【図１】
2006064043.tif 000003
【図２】
2006064043.tif 000004
【図３】
2006064043.tif 000005
【図４】
2006064043.tif 000006
【図５】
2006064043.tif 000007
【図６】
2006064043.tif 000008
【図７】
2006064043.tif 000009
【図８】
2006064043.tif 000010
【図９】
2006064043.tif 000011
【図１０】
2006064043.tif 000012
【図１１】
2006064043.tif 000013
【図１２】
2006064043.tif 000014
【図１３】
2006064043.tif 000015
【図１４】
2006064043.tif 000016
【図１５】
2006064043.tif 000017
【図１６】
2006064043.tif 000018